(57)【要約】【課題】家屋への防水シートの敷設を安定して、確実、容易且つ迅速に行うことのできる家屋用防水シートアプリケータを提供する。【解決手段】防水シートロールのロール芯内に挿入可能なメインシャフト部材、該シャフト部材の下方で防水ロールを回転可能に支持しうるベース部材、装着される防水シートロールの外側に位置し該シャフト部材と平行に配されたサイドシャフト部材、及び該サイドシャフト部材に取りつけたウィング板を有する家屋用防水シートアプリケータ。【選択図】図１
2005320774.tif 000002
【特許請求の範囲】
【請求項１】
防水シートロールのロール芯内に挿入可能なメインシャフト部材、該シャフト部材の下方で防水ロールを回転可能に支持しうるベース部材、及び装着される防水シートロールの外側に位置し該シャフト部材と平行に配されたサイドシャフト部材とを有することを特徴とする家屋用防水シートアプリケータ。
【請求項２】
該サイドシャフト部材にウィング板をバネを介して取りつけてなる請求項１記載の家屋用防水シートアプリケータ。
【発明の詳細な説明】
【技術分野】
【０００１】
本発明は家屋用防水シートアプリケータに関し、家屋の外装工事において家屋周囲に防水シートを敷設する際に用いるアプリケータに関する。
【背景技術】
【０００２】
個人住宅を典型例とする家屋の建築に当っては、外壁工事前に防水シートを敷設するのが一般的である。この防水シートはロール状で提供されており、現場での施工に当っては、手作業でロールから防水シートを引き出して家屋の外周に巻きつけて敷設するという方法がとられている。しかし、防水シートは変形しやすく、家屋を一周する際に一定した取り扱いがむづかしく、変形したり作業に時間がかかる等種々の問題が発生していた。また２階部分等の高い場所に敷設する際には足場の上で作業する必要があり、作業が一層困難になると共に、作業者の安全にも問題があった。
【発明の開示】
【発明が解決しようとする課題】
【０００３】
本発明の目的は、家屋への防水シートの敷設を安定して、確実、容易且つ迅速に行うことのできる家屋用防水シートアプリケータを提供することにある。
【課題を解決するための手段】
【０００４】
本発明は、防水シートロールのロール芯内に挿入可能なメインシャフト部材、該シャフト部材の下方で防水ロールを回転可能に支持しうるベース部材、及び装着される防水シートロールの外側に位置し該シャフト部材と平行に配されたサイドシャフト部材とを有することを特徴とする家屋用防水シートアプリケータである。
【０００５】
本発明の防水シートアプリケータは、好ましくは前記サイドシャフト部材に取りつけたウィング板を有する。
また本発明の防水シートアプリケータは、好ましくは前記メインシャフト部材の下端が地上や足場に固定するための固定部材に連結できるようになっている。
【発明の効果】
【０００６】
本発明により、家屋への防水シートの敷設を作業環境のちがい等に影響されることなく、安定性して、確実、容易且つ迅速に行うことが可能となる。
【発明を実施するための最良の形態】
【０００７】
以下図面を用いて本発明を説明する。
図１は本発明の家屋用防水シートアプリケータの典型例を示す正面図であり、図２は図１のサイドシャフト部材部分を示す正面図である。
図３は本発明の家屋用防水シートアプリケータの別の態様を示す正面図であり、図４は図３の装置の使用状態を示す斜視図である。
【０００８】
防水シート１００はロールに巻かれた状態で市販されており、そのサイズはたとえば直径が約１６ｃｍ、長さが約１２０ｃｍといったように、ほぼ定められている。その材質は特に制限されず、紙、プラスチックシート、不織布それらの組合せ等からなるが、一般には透湿性のある防水シートが用いられる。
【０００９】
図１において、シャフト部材はこのような防水シートロールのロール芯内に挿入可能な要部を有するものである。シャフト部材１は通常中空パイプからなり、一本のパイプからできていても、また長さ調節機能等を付与するために複数部分からなっていてもよい。シャフト部材１の下方には、装着した防水シートロールを回転可能に受けとめるベース部材２、３が取りつけられている。図１のベース部材はシャフト１に固定して取り付けられたベース板２とその上に防水シートロールの回転に応じて回転可能に取りつけたライナー３とからなっている。シャフト１のベース部材より下方の部分は防水シートロールのロール芯より太くてもよいが、中空パイブ（ベースロックパイプ）１’からなることが好ましい。
【００１０】
この末端の中空パイプ１'を地上に固定する三脚等の固定部材や家屋周辺に設置した工事用の立場のパイプ部に取りつける中間固定部材を介して取りつけることにより作業効率を高めることができる。
メインシャフト部材に平行し、防水シートロールの外側位置にサイドシャフト部材４を配する。このサイドシャフト部材４は上下端でメインシャフト部材１に接続している。下端はベース部材の端部にまた上端はメインシャフト部材の上端に取り付けたアーム５にってメインシャフト部材と接続している。サイドシャフト部材４にはほぼ全体に亘って幅広のウィング板６が取りつけられている。ウィング板６は、図２に示すように、スプリング等によってバネ様に取りつけられており、装着された防水シートロールを適度の力で押さえる機能が付与されている。
【００１１】
ウィング板７の長さは防水シートの幅と同じか若干長いことが好ましい。幅は上記機能を示すことができれば特に制限はないが通常未使用の防水シートロールの直径の１／４〜１／２程度である。ウィング板は通常平坦ないし幾分内方向（ロール方向）に湾曲している金属板（ステンレススチール板等）からなる。
図２において８はガイド、９はジョイント、１０はストッパカラ−を示す。
【００１２】
本発明の防水シートアプリケータの別の態様を示す図３において，メインシャフト部材はパイプ１１と１１'とからなり、ベース部材はベース板１２、ロールベース羽根１３から主としてなる。
【００１３】
Ｅリング１４とコアローラ１５により防水シートロールを回転可能に受け入れる。サイドシャフト部材はパイプ１６からなっており、このパイプ１６はパイプ１１の上端部に一端を挿入し他端をパイプ１６の上端内に挿入したサポートアーム１７とベース板１２に取りつけたスイングアーム１８を介してメインシャフト部材と接続している。
【００１４】
図３ではサポートアームパイプ１６内を通りその下端に達している。１９はカプラ、２０はガイドステーを示し、１４’はＥリング、１５'はコアリングを示す。図３においても、図１におけると同様のウィング板（図示せず）が取りつけられる。
【００１５】
図４は図３の防水シートアプリケータから防水シートを引き出している状態を示す斜視図である。
本発明の防水シートアプリケータは基本的な構造的特徴を満足する限り、図１〜４には制限されず、適宜の変更が可能である。
【図面の簡単な説明】
【００１６】
【図１】本発明の家屋用防水シートアプリケータの典型例を示す正面図。
【図２】図１のサイドシャフト部材部分を示す正面図。
【図３】本発明の家屋用防水シートアプリケータの別の態様を示す正面図。
【図４】図３の装置の使用状態を示す斜視図。
【符号の説明】
【００１７】
１    シャフト部材
２    ベース板
３    ライナー
４    サイドシャフト部材
５    アーム
６    ウィング板
７    スプリング
８    ガイド
９    ジョイント
１０    ストッパーカラー
１１    パイプ
１２    ベース板
１３    ロールベース羽根
１４    Ｅリング
１５    コアローラ
１６    パイプ
１７    サポートアーム
１８    スイングアーム
１９    カプラ
２０    ガイドステー
【図１】
2005320774.tif 000003
【図２】
2005320774.tif 000004
【図３】
2005320774.tif 000005
【図４】
2005320774.tif 000006